(57)【特許請求の範囲】
【請求項１】
カメラアクセサリに設けられたアクセサリ側マウントと係合するカメラ側マウント部材をカメラ本体に取り付けて構成されるカメラにおいて、
前記カメラ側マウント部材と前記カメラ本体との間に挟み込まれて保持されるとともに、前記カメラ側マウント部材と前記アクセサリ側マウントとを係合した状態で、前記カメラアクセサリにおける前記アクセサリ側マウントの外周を囲み、前記アクセサリ側マウントが取り付けられて固定されるアクセサリ本体の外観部材に密着する弾性部材を有することを特徴とするカメラ。
【請求項２】
前記弾性部材が、前記カメラ側マウント部材と前記カメラ本体を構成するカメラ側外観部材との間に挟み込まれて保持されることを特徴とする請求項１に記載のカメラ。
【請求項３】
前記弾性部材における前記アクセサリ本体の外観部材への密着部分が、先端に向かって広がる錐形状に形成されていることを特徴とする請求項１又は２に記載のカメラ。
【請求項４】
前記弾性部材が円環形状に形成されており、
この弾性部材における前記アクセサリ本体の外観部材への密着部分が、先端に向かって広がる円錐形状に形成されていることを特徴とする請求項３に記載のカメラ。
【請求項５】
カメラに設けられたカメラ側マウントと係合するアクセサリ側マウント部材をアクセサリ本体に取り付けて構成されるカメラアクセサリにおいて、
前記アクセサリ側マウント部材と前記アクセサリ本体との間に挟み込まれて保持されるとともに、前記アクセサリ側マウント部材と前記カメラ側マウントとを係合した状態で、前記カメラ側マウントが取り付けられて固定されるカメラ本体における前記カメラ側マウントの外周を囲むカメラ側外観部材に密着する弾性部材を有することを特徴とするカメラアクセサリ。
【請求項６】
前記弾性部材が、前記アクセサリ側マウント部材と、前記アクセサリ本体の外観部材との間に挟み込まれて保持されることを特徴とする請求項５に記載のカメラアクセサリ。
【請求項７】
前記弾性部材における前記カメラ側外観部材への密着部分が、先端に向かって広がる錐形状に形成されていることを特徴とする請求項５又は６に記載のカメラアクセサリ。
【請求項８】
前記弾性部材が円環形状に形成されており、
この弾性部材における前記カメラ側外観部材への密着部分が、先端に向かって広がる円錐形状に形成されていることを特徴とする請求項７に記載のカメラアクセサリ。
【請求項９】
請求項１から４のいずれかに記載のカメラと、このカメラに装着されるカメラアクセサリとを有して構成されることを特徴とするカメラシステム。
【請求項１０】
請求項５から８のいずれかに記載のカメラアクセサリと、このカメラアクセサリが装着されるカメラとを有して構成されることを特徴とするカメラシステム。
【発明の詳細な説明】
【０００１】
【発明の属する技術分野】
本発明は、レンズ鏡筒等のカメラアクセサリをカメラに取り付けたときに、両者が水密的に結合されるようにした防水マウント機構に関するものである。
【０００２】
【従来の技術】
交換レンズ鏡筒が着脱自在に装着できるレンズ交換式カメラにおいては、一般的にカメラ側、レンズ鏡筒側双方にマウント部材を設け互いを係合させることによりレンズ鏡筒をカメラに取り付けるマウント機構が広く知られている。
【０００３】
また、最近では雨中の撮影等によりカメラが水に濡れても支障がないように、カメラ、レンズ鏡筒それぞれを防水構造とするとともに、双方のマウント部材が係合時に水密化するような防水マウント機構を設けたカメラの防水機構が既に提案され、製品化されている。
【０００４】
防水マウント機構の一例としては、カメラ側のマウントと外側のカバーとの間に防水用の弾性部材を配置し、カメラとレンズ鏡筒の係合時、その弾性部材をカメラ側のマウントより径の大きいレンズのマウント部材に当接させて、レンズ鏡筒とカメラとの間の水密化を図る提案がなされている。
【０００５】
【発明が解決しようとする課題】
しかしながら、従来はマウント部材を防水用に特別な形状に構成しているために、例えば、非防水のマウント機構を持つレンズ鏡筒およびカメラからなるカメラシステムに、新たに防水マウント機構を持つカメラやレンズ鏡筒からなるカメラシステムが追加される場合には、従来の非防水マウント部材との共用ができず、同じカメラシステムの中に２種類のマウント部材が必要となることになる。
【０００６】
また、従来は、弾性部材がマウント部材と外観部材間にあるためマウント部材と外観部材の防水は可能となるが、弾性部材が当接する相手側のマウント部材と外観部材との防水性については考慮されておらず、本来なら弾性部材が当接する相手方のマウント部材と外観部材間にも防水機構が必要となる。
【０００７】
【課題を解決するための手段】
上記の課題を解決するために、本願第１の発明では、カメラアクセサリに設けられたアクセサリ側マウントと係合するカメラ側マウント部材をカメラ本体に取り付けて構成されるカメラにおいて、カメラ側マウント部材とカメラ本体（例えば、カメラ本体を構成するカメラ側の外観部材）との間に挟み込まれて保持されるとともに、カメラ側マウント部材とアクセサリ側マウントとを係合した状態で、カメラアクセサリにおけるアクセサリ側マウントの外周を囲み、アクセサリ側マウントが取り付けられて固定されるアクセサリ本体の外観部材に密着する弾性部材を設けている。
【０００８】
これにより、カメラ側マウント部材そのものは防水、非防水に関係なく同一の部材が使用できる。また、カメラ側マウント部材とカメラ本体（外観部材等）間に防水用の弾性部材があるので、カメラ側マウント部材とカメラ本体間の防水が図れるとともに、カメラアクセサリ側では、弾性部材がマウントの外側部分（外観部材等）に密着することから、アクセサリ側マウントとアクセサリ側外観部材等との間に防水機構がなくても防水性が保てる。つまり、防水用の弾性部材を１つ追加するだけで、カメラアクセサリとカメラ間の防水性が保証できるとともに、カメラ側マウント部材とカメラ側外観部材等との防水性も保証できる。
【０００９】
さらに、上記第１の発明においては、弾性部材におけるカメラアクセサリへの密着部分が、先端に向かって広がる錐形状（弾性部材が円環形状である場合、円錐形状）に形成するのが望ましい。
【００１０】
これにより、カメラアクセサリのカメラへの装着時に弾性部材の先端は常に外側に広がるので、弾性部材の先端を、両マウント間に挟み込んだり、ねじったりすることなく安定してカメラアクセサリに密着させることができる。
【００１１】
また、本願第２の発明では、カメラに設けられたカメラ側マウントと係合するアクセサリ側マウント部材をアクセサリ本体に取り付けて構成されるカメラアクセサリにおいて、アクセサリ側マウント部材とアクセサリ本体（例えば、アクセサリ本体を構成するカメラ側の外観部材）との間に挟み込まれて保持されるとともに、アクセサリ側マウント部材とカメラ側マウントとを係合した状態で、カメラ側マウントが取り付けられて固定されるカメラ本体におけるカメラ側マウントの外周を囲むカメラ側外観部材に密着する弾性部材を設けている。
【００１２】
これにより、アクセサリ側マウント部材そのものは防水、非防水に関係なく同一の部材が使用できる。また、アクセサリ側マウント部材とアクセサリ本体（外観部材等）間に防水用の弾性部材があるので、アクセサリ側マウント部材とアクセサリ本体間の防水が図れるとともに、カメラ側では、弾性部材がマウントの外側の外観部材等に密着することから、カメラ側マウントとカメラ側外観部材等との間に防水機構がなくても防水性が保てる。つまり、防水用の弾性部材を１つ追加するだけで、カメラアクセサリとカメラ間の防水性が保証できるとともに、アクセサリ側マウント部材とアクセサリ側外観部材等との防水性も保証できる。
【００１３】
さらに、上記第２の発明においては、弾性部材におけるカメラへの密着部分が、先端に向かって広がる錐形状（弾性部材が円環形状である場合、円錐形状）に形成するのが望ましい。
【００１４】
これにより、カメラアクセサリのカメラへの装着時に弾性部材の先端は常に外側に広がるので、弾性部材の先端を、両マウント間に挟み込んだり、ねじったりすることなく安定してカメラに密着させることができる。
【００１５】
【発明の実施の形態】
（第１実施形態）
図１には、本発明の第１実施形態であるカメラシステムを示している。このカメラシステムは、カメラ１とレンズ鏡筒（カメラアクセサリ）１０とを結合して構成されている。
【００１６】
図２には、カメラ１のマウント機構を示している。この図において、２は本体ダイキャストである。この本体ダイキャス２には、マウント環（請求の範囲にいうカメラ側マウント）３、バヨネット付勢バネ４および前カバー５が取り付けられている。
【００１７】
マウント環３は、周方向ほぼ３等分に配置されて内径方向に突出し、後述するレンズ鏡筒１０のバヨネット爪１１ａに係合するバヨネット爪３ａと、レンズ鏡筒１０側のマウント環１１と嵌合する嵌合部３ｂと、マウント環１１が光軸方向に当接する当接面３ｃとを有している。このマウント環３は、貫通穴３ｄに挿通されるビス６により本体ダイキャスト２に取り付けられる。
【００１８】
バヨネット付勢バネ４は、レンズ鏡筒１０の装着時にレンズ鏡筒１０のバヨネット爪１１ａを付勢して、レンズ側の当接面１１ｃをカメラ側の当接面３ｃに押圧する弓状に反った付勢部４ａを有する。このバヨネット付勢バネ４は、ビス７により本体ダイキャスト２に取り付けられる。
【００１９】
前カバー５は、カメラの前面の外観部材となるものであり、レンズ鏡筒１０側の弾性部材１３が当接する弾性部材当接面５ａを有する。この前カバー５は、マウント環３の外周部と嵌合し、防水性を保証するために設けられたＯリング９とともに貫通穴５ｂに挿通されるビス８により共締めされて本体ダイキャスト２に取り付けられる。
【００２０】
図３には、レンズ鏡筒１０のマウント機構を示している。この図において、１１はレンズ鏡筒１０側のマウント環（請求の範囲にいうアクセサリ側マウント部材）であり、周方向ほぼ３等分に配置されて内径方向に突出し、カメラ１側のバヨネット爪３ａに係合するバヨネット爪１１ａと、カメラ１側のマウント環３と嵌合する嵌合部１１ｂと、マウント環３が光軸方向に当接する当接面１１ｃとを有する。このマウント環１１は、貫通穴１１ｄに挿通されるビス１４によりレンズ外装環１２に取り付けられる。
【００２１】
レンズ外装環（請求の範囲いうアクセサリ本体であり、外観部材を兼ねている）１２は、マウント環１１の外周部が嵌合する嵌合部１２ａと、後述する弾性部材１３の抜け止め用の溝１２ｂとを有する。
【００２２】
弾性部材１３は円環形状に形成されており、レンズ外装環１２に設けられた溝１２ｂに係合する抜け止め用のフランジ部１３ａと、先端方向に向かって広がる円錐形状部１３ｂとからなる。この弾性部材１３は、マウント環１１の外周とレンズ外装環１２の内周との間に径方向にチャージされた状態で挟み込まれて保持される。これにより、マウント環１１とレンズ外装環１２との間の防水性が保証される。
【００２３】
このように構成されたレンズ鏡筒１０は、図４に示すようにカメラ１に装着される。まず、レンズ鏡筒１０側のマウント環１１の嵌合部１１ｂとカメラ１側のマウント環３の嵌合部３ｂとが互いに嵌合することによりレンズ鏡筒１０はカメラ１に対しラジアル方向の位置決めがなされる。また、レンズ鏡筒１０のバヨネット爪１１ａがカメラ１のバヨネット付勢バネ４によってカメラ方向に付勢されることにより、レンズ鏡筒１０の当接面１１ｃとカメラ１の当接面３ｃとが圧接して、レンズ鏡筒１０はカメラ１に対し光軸方向の位置決めがなされる。
【００２４】
このとき、レンズ鏡筒１０に設けられた弾性部材１３は、カメラ１の前カバー５の弾性部材当接面５ａに当接し、弾性部材１３の円錐形状部１３ｂの先端はさらに外方に広がるように当接面５ａに密着しながら変形する。こうして、弾性部材１３がカメラ１の前カバー５に密着することにより、レンズ鏡筒１０とカメラ１との間の防水性が保証される。
【００２５】
（第２実施形態）
図５には、本発明の第２実施形態であるカメラシステムを構成するカメラ５０のマウント機構を示している。この図において、５１は本体ダイキャストである。この本体ダイキャス５１には、マウント環５２、バヨネット付勢バネ５３、前カバー５４が取り付けられている。
【００２６】
マウント環（請求の範囲にいうカメラ側マウント部材）５２であり、周方向にほぼ３等分に配置されて内径方向に突出し、後述するレンズ鏡筒６０のバヨネット爪６１ａに係合するバヨネット爪５２ａと、レンズ鏡筒６０側のマウント環６１と嵌合する嵌合部５２ｂと、マウント環６１が光軸方向に当接する当接面５２ｃとを有する。このマウント環５２は、貫通穴５２ｄに挿通されるビス５６により本体ダイキャスト５１に取り付けられる。
【００２７】
バヨネット付勢バネ５３は、レンズ鏡筒６０の装着時にレンズ鏡筒６０のバヨネット爪６１ａを付勢して、レンズ鏡筒６０側の当接面６１ｃをカメラ５０側の当接面５２ｃに押圧するように弓状に反った付勢部５３ａを有する。このバヨネット付勢バネ５３は、ビス５７により本体ダイキャスト５１に取り付けられる。前カバー（本体ダイキャスト５１とともにカメラ本体を構成する）５４は、カメラ５０の前面の外観部材となる。この前カバー５０は、後述する弾性部材５５の抜け止め用の溝５４ａを有する。また、前カバー５０は、マウント環５２の外周部と嵌合し、防水性を保証するために設けられたＯリング５９とともに貫通穴５４ｂに挿通されるビス５８により共締めされて本体ダイキャスト５１に取り付けられる。
【００２８】
弾性部材５５は円環形状に形成されており、前カバー５４に設けられた溝５４ａに係合する抜け止め用のフランジ部５５ａと、先端方向に向かって広がる円錐形状部５５ｂとからなる。この弾性部材５５は、マウント環５２の外周と前カバー５４の内周との間に径方向でチャージされた状態で挟み込まれて保持される。これにより、マウント環５２と前カバー５４との間の防水性が保証される。
【００２９】
図６には、レンズ鏡筒６０のマウント機構を示している。この図において、６１はマウント環（請求の範囲にいうアクセサリ側マウント）であり、周方向ほぼ３等分に配置されて内径方向に突出し、前述したカメラ５０側のバヨネット爪５２ａに係合するバヨネット爪６１ａと、カメラ５０側のマウント環５２と嵌合する嵌合部６１ｂと、マウント環５２が光軸方向に当接する当接面６１ｃとを有する。このマウント環６１は、貫通穴６１ｄに挿通されるビス６４によりレンズ外装環６２に取り付けられる。
【００３０】
レンズ外装環６２は、カメラ５０側の弾性部材５５が当接する弾性部材当接面６２ａと、マウント環６１の外周部が嵌合する嵌合部６２ｂとを有する。
【００３１】
このように構成されたレンズ鏡筒６０は、図７に示すようにカメラ５０に装着される。まず、レンズ鏡筒６０のマウント環６１の嵌合部６１ｂとカメラ５０のマウント環５２の嵌合部５２ｂとが互いに嵌合することによりレンズ鏡筒６０はカメラ５０に対しラジアル方向の位置決めがなされる。また、レンズ鏡筒６０のバヨネット爪６１ａがカメラ５０のバヨネット付勢バネ５３によりカメラ方向に付勢され、レンズ鏡筒６０の当接面６１ｃとカメラ５０の当接面５２ｃとが圧接することにより、レンズ鏡筒６０はカメラ５０に対し光軸方向の位置決めがなされる。
【００３２】
このとき、カメラ５０に設けられた弾性部材５５は、レンズ鏡筒６０のレンズ外装環６２の弾性部材当接面６２ａに当接し、その円錐形状部５５ｂの先端はさらに外方に広がるように当接面６２ａに密着しながら変形する。こうして、カメラ５０側の弾性部材５５とレンズ鏡筒６０側のレンズ外装環６２とが密着することにより、レンズ鏡筒６０とカメラ５０との間の防水性が保証される。
【００３３】
（第３実施形態）
図８には、本発明の第３実施形態であるカメラシステムを構成するカメラ７０のマウント機構を示している。この図において、７１は本体ダイキャストである。この本体ダイキャスト７１には、マウント環７２、バヨネット付勢バネ７３、前カバー７４が取り付けられている。
【００３４】
マウント環（請求の範囲にいうカメラ側マウント）７２であり、周方向ほぼ３等分に配置されて内径方向に突出し、後述するレンズ鏡筒８０のバヨネット爪８１ａに係合するバヨネット爪７２ａと、レンズ鏡筒８０側のマウント環８１と嵌合する嵌合部７２ｂと、マウント環８１が光軸方向に当接する当接面７２ｃとを有する。このマウント環７２は、貫通穴７２ｄに挿通されるビス７５により本体ダイキャスト７１に取り付けられる。
【００３５】
バヨネット付勢バネ７３は、レンズ鏡筒８０の装着時にレンズ鏡筒８０のバヨネット爪８１ａを付勢して、レンズ鏡筒８０側の当接面８１ｃをカメラ７０側の当接面７２ｃに圧接させるようにする弓状に反った付勢部７３ａを有する。このバヨネット付勢バネ７３は、ビス７６により本体ダイキャスト７１に取り付けられる。
【００３６】
前カバー７４は、カメラ７０の前面の外観部材となるものであり、円筒状の突起７４ａを有する。前カバー７４の内径には、後述するレンズ鏡筒８０側の弾性部材８３が当接される弾性部材当接面７４ｂを有する。この前カバー７４は、マウント環７２の外周部と嵌合し、防水性を保証するために設けられたＯリング７８とともに貫通穴７４ｃに挿通されるビス７７により共締めされて本体ダイキャスト７１に取り付けられる。
【００３７】
図９には、レンズ鏡筒８０のマウント機構を示している。８１はレンズ鏡筒８０側のマウント環（請求の範囲にいうアクセサリ側マウント部材）であり、周方向ほぼ３等分に配置されて内径方向に突出し、カメラ７０のバヨネット爪７２ａに係合するバヨネット爪８１ａと、カメラ７０のマウント環７２と嵌合する嵌合部８１ｂと、マウント環７２が光軸方向に当接する当接面８１ｃとを有する。このマウント環８１は、貫通穴８１ｄに挿通されるビス８４により後述のレンズ外装環８２に取り付けられる。
【００３８】
８２はレンズ外装環（請求の範囲にいうアクセサリ本体であり、外装部材を兼ねる）であり、マウント環８１の外周部が嵌合する嵌合部８２ａと、後述の弾性部材８３の抜け止め用の溝８２ｂとを有する。
【００３９】
弾性部材８３は円環形状に形成されており、レンズ外装環８２に設けられた溝８２ｂに係合する抜け止め用の第１フランジ部８３ａと、外径方向に向かって延びる第２フランジ部８３ｂとを有する。この弾性部材８３は、マウント環８１の外周とレンズ外装環８２の内周との間に径方向にチャージされた状態で挟み込まれて保持される。これにより、マウント環８１とレンズ外装環８２との間の防水性が保証される。
【００４０】
このように構成されたレンズ鏡筒８０は、図１０に示すようにカメラ７０に装着される。まず、レンズ鏡筒８０のマウント環８１の嵌合部８１ｂとカメラ７０のマウント環７２の嵌合部７２ｂとが互いに嵌合することにより、レンズ鏡筒８０はカメラ７０に対しラジアル方向の位置決めがなされる。また、レンズ鏡筒８０のバヨネット爪８１ａがカメラ７０のバヨネット付勢バネ７３によりカメラ方向に付勢されて、レンズ鏡筒８０の当接面８１ｃとカメラ７０の当接面７２ｃとが圧接することにより、レンズ鏡筒８０はカメラ本体７０に対し光軸方向の位置決めがなされる。
【００４１】
このとき、レンズ鏡筒８０に設けられた弾性部材８３は、カメラ７０の前カバー７４に設けられた円筒状の突起７４ａの内径の弾性部材当接面７４ｂに当接し、第２フランジ部８３ｂの先端が当接面７４ａに密着しながら変形する。こうしてレンズ鏡筒８０側の弾性部材８３とカメラ７０側の前カバー７４とが当接することにより、レンズ鏡筒７０とカメラ８０との間の防水性が保証される。
【００４２】
なお、上記各実施形態では、レンズ鏡筒をカメラに装着する場合について説明したが、本発明は、レンズ鏡筒以外のカメラアクセサリをカメラに装着する場合にも適用することができる。
【００４３】
また、上記各実施形態では、カメラ本体が本体ダイキャストに外装部材（前カバー）を取り付けて構成される場合やレンズ鏡筒のレンズ外装環が鏡筒本体を兼ねている場合について説明したが、本発明は、本体ダイキャストと外装部材とが一体成形されてカメラ本体が構成される場合や鏡筒本体が本体筒に外装部材を取り付けて構成される場合にも適用できる。
【００４４】
【発明の効果】
以上説明したように、本願第１の発明によれば、カメラ側に設けられた防水用の弾性部材をカメラ側マウント部材とカメラ本体との間に挟み込んで保持するとともに、カメラ側マウント部材とアクセサリ側マウントとの係合時にカメラアクセサリにおけるアクセサリ側マウントの外周を囲む部分（外観部材等）に密着するようにしているので、カメラ側マウント部材そのものは防水、非防水に関係なく同一の部材を使用することができる。また、カメラ側マウント部材とカメラ本体間に防水用の弾性部材があるので、カメラ側マウント部材とカメラ本体間の防水が図れるとともに、カメラアクセサリ側では、弾性部材がマウントの外側部分に密着することから、アクセサリ側マウントとアクセサリ側外観部材等との間に防水機構がなくても防水性を保つことができる。つまり、防水用の弾性部材を１つ追加するだけで、カメラアクセサリとカメラ間の防水性が保証できるとともに、カメラ側マウント部材とカメラ本体との間の防水性も保証できる。
【００４５】
また、本願第２の発明によれば、カメラアクセサリ側に設けられた防水用の弾性部材をアクセサリ側マウント部材とアクセサリ本体との間に挟み込んで保持するとともに、アクセサリ側マウント部材とカメラ側マウントとの係合時にカメラにおけるカメラ側マウントの外周を囲む部分（外観部材等）に密着するようにしているので、アクセサリ側マウント部材そのものは防水、非防水に関係なく同一の部材を使用することができる。また、アクセサリ側マウント部材とアクセサリ本体間に防水用の弾性部材があるので、アクセサリ側マウント部材とアクセサリ本体間の防水が図れるとともに、カメラ側では、弾性部材がマウントの外側部分に密着することから、カメラ側マウントとカメラ側外観部材等との間に防水機構がなくても防水性を保つことができる。つまり、防水用の弾性部材を１つ追加するだけで、カメラアクセサリとカメラ間の防水性が保証できるとともに、アクセサリ側マウント部材とアクセサリ本体との間の防水性も保証できる。
【００４６】
さらに、上記各発明において、弾性部材における相手方への密着部分を、先端に向かって広がる錐形状（弾性部材が円環形状である場合、円錐形状）に形成すれば、アクセサリのカメラへの装着時に弾性部材の先端は常に外側に広がるので、弾性部材の先端を、両マウント間に挟み込んだり、ねじったりすることなく安定して相手方に密着させることができる。
【図面の簡単な説明】
【図１】本発明の第１実施形態であるカメラシステムの側面図である。
【図２】上記カメラシステムを構成するカメラのマウント構成を示す断面図である。
【図３】上記カメラシステムを構成するレンズ鏡筒のマウント構成を示す断面図である。
【図４】上記レンズ鏡筒のカメラへの装着状態を示す断面図である。
【図５】本発明の第２実施形態であるカメラシステムを構成するカメラのマウント構成を示す断面図である。
【図６】上記第２実施形態のカメラシステムを構成するレンズ鏡筒のマウント構成を示す断面図である。
【図７】上記第２実施形態のレンズ鏡筒のカメラへの装着状態を示す断面図である。
【図８】本発明の第３実施形態であるカメラシステムを構成するカメラのマウント構成を示す断面図である。
【図９】上記第３実施形態のカメラシステムを構成するレンズ鏡筒のマウント構成を示す断面図である。
【図１０】上記第３実施形態のレンズ鏡筒のカメラへの装着状態を示す断面図である。
【符号の説明】
１、５０、７０  カメラ
２、５１、７１  （カメラの）ダイキャスト本体
３、５２、７２  （カメラの）マウント環
４、５３、７３  バヨネット付勢用バネ
５、５４、７４  前カバー
１０、６０、８０  レンズ鏡筒
１１、６１、８１  （レンズ鏡筒の）マウント環
１２、６２、８２  レンズ外装環
１３、５５、８３  弾性部材
【図１】
0003728080.tif 000002
【図２】
0003728080.tif 000003
【図３】
0003728080.tif 000004
【図４】
0003728080.tif 000005
【図５】
0003728080.tif 000006
【図６】
0003728080.tif 000007
【図７】
0003728080.tif 000008
【図８】
0003728080.tif 000009
【図９】
0003728080.tif 000010
【図１０】
0003728080.tif 000011